(57)【特許請求の範囲】
【請求項１】
ハウジングであって、前記ハウジングの前部にある主ガードと前記ハウジングの後部上面にある主キャップとを有するハウジングと、前記主ガードと前記主キャップとの間に配置された１枚以上の主剃毛刃と、
前記ハウジングの後部に取り付けられた刃先を有するトリミング刃と、
前記ハウジングの後部にあるトリミングコームガードであって、前記刃先に対して概ね垂直に延びる複数の開放スロットを画定する前記トリミングコームガードの長さ方向に複数の突起部を有するトリミングコームガードと、を備え、
前記開放スロットが、剃毛時に毛を自由に通過させるための約０．２０ｍｍ〜約０．４９ｍｍの幅を有する、剃毛かみそり刃ユニット。
【請求項２】
前記トリミングコームガードが、切断及び成形されたシートメタルから作製される、請求項１に記載のユニット。
【請求項３】
前記開放スロットが、約０．４０ｍｍ〜約０．８５ｍｍのピッチを有する、請求項１又は２に記載のユニット。
【請求項４】
前記トリミングコームガードが、前記トリミングコームガードの長さ方向に少なくとも約５０の突起部を含む、請求項１〜３のいずれか一項に記載のユニット。
【請求項５】
前記開放スロットが、前記トリミング刃に直接隣接している、請求項１〜４のいずれか一項に記載のユニット。
【請求項６】
前記開放スロットが、実質的に一定の幅を有する、請求項１〜５のいずれか一項に記載のユニット。
【請求項７】
複数の開放スロットが、前記刃先の長さ方向に沿って配置されている、請求項１〜６のいずれか一項に記載のユニット。
【請求項８】
前記開放スロットが、約１：１.２５〜約５となる、開放スロットの深さの開放スロットの幅に対する縦横比を有する、請求項１〜７のいずれか一項に記載のユニット。
【請求項９】
前記刃ユニットの前記トリミングコームガードから前記トリミング刃先までの距離であるトリミング刃のスパンが、約０．１ｍｍ〜約２．０ｍｍである、請求項１〜８のいずれか一項に記載のユニット。
【発明の詳細な説明】
【技術分野】
【０００１】
本発明は、剃毛かみそりに関し、より詳細には、コームガードを有するトリミング刃を備えたハウジングを有する剃毛かみそり刃ユニットに関する。
【背景技術】
【０００２】
近年、様々な数の刃を有する剃毛かみそりが特許文献で提案されており、Ｔｈｅ  Ｇｉｌｌｅｔｔｅ  Ｃｏｍｐａｎｙによる３枚刃のＭａｃｈ  ＩＩＩ（商標）かみそり及び５枚刃のＦｕｓｉｏｎ（商標）かみそりなどが商品化されている。
【０００３】
剃毛かみそりの刃の数を増やすと、一般にかみそりの剃毛効率が向上し、皮膚に対する圧縮力をより良く分散させる傾向にあるが、抗力を大きくし、操作性を低下させ、もみあげ又は鼻近辺などのトリミング能力を低下させる傾向もあり得る。この問題を解決するために、追加の刃がトリミング用にかみそりハウジングの後側に取り付けられることがある。
【０００４】
短い毛は、約２４時間の発毛に特有のものである。短い毛は直立する傾向を有するため、標準的な剃毛かみそりは、より短い毛をかえって効果的に切断する。かみそりにあるトリミング刃の先端は、短い毛を最適な角度で切断することができる。より長い毛は、成長するにつれて折れ曲がり、典型的には皮膚上に平らに横たわる。トリミング刃は、より長い毛を皮膚表面により平行な角度で剃るか又は切断する傾向を有するであろう。より長い毛の一部は、平らに横たわり、トリミング刃が切断できないことがある。ユーザーは、皮膚表面に近すぎて切れていないか又は切れない毛を切断するのに同じ領域を繰り返しトリミングしなければならないことがある。
【発明の概要】
【発明が解決しようとする課題】
【０００５】
したがって、長い毛を切断する優れた性能を備えたガードを有するトリミング刃付き剃毛かみそりを提供することが望ましい。
【課題を解決するための手段】
【０００６】
一態様では、本発明は、一般に、ハウジングの前部にある主ガードとハウジングの後部上面にある主キャップとを有するハウジングと、主ガードと主キャップとの間に配置された１枚以上の主剃毛刃と、ハウジングの後部上面から終端面まで下方に延びる後部外面を有する後壁と、ハウジングの後部に取り付けられたトリミング刃先を有するトリミング刃と、ハウジングの後部にあるトリミングコームガードであって、トリミング刃先に対して概ね垂直に延びる複数の開放スロットを画定するトリミングコームガードの長さ方向に複数の突起部を有するトリミングコームガードと、を備え、開放スロットが、剃毛時に毛を自由に通過させるための約０．２０ｍｍ〜約０．４９ｍｍの最小幅を有する、剃毛かみそり刃ユニットを特徴とする。
【０００７】
トリミングコームガードが、切断及び成形されたシートメタルから作製されてもよい。
【０００８】
開放スロットは、約０．４０ｍｍ〜約０．８５ｍｍのピッチを有していてもよい。開放スロットは、トリミング刃に直接隣接していてもよい。開放スロットは、実質的に一定の幅を有していてもよい。開放スロットは、概ね互いに平行であってもよい。トリミングコームガードは、トリミングコームガードの長さ方向に少なくとも約５０の突起部を含んでいてもよい。
【図面の簡単な説明】
【０００９】
本明細書は、本発明を形成するとみなされる対象内容を具体的に指摘し明確に主張する請求項をもって結論づけるが、本発明は、添付図面に関する以下の説明からよりよく理解されると考えられる。
【図１】毛を切断するトリミング刃を備えた先行技術の剃毛かみそりの側面断面図。
【図２】本開示の特定の好ましい実施形態に従って剃毛かみそり上のトリミング刃により切断されている毛の側面断面図。
【図３】剃毛かみそりの可能な一実施形態の正面図。
【図４】剃毛かみそり刃ユニットの可能な一実施形態の背面斜視図。
【図５Ａ】図４の剃毛かみそり刃ユニットのトリミング刃により切断されている毛の側面断面図。
【図５Ｂ】図４の剃毛かみそり刃ユニットのトリミング刃により切断されている毛の側面断面図。
【図５Ｃ】図４の剃毛かみそり刃ユニットのトリミング刃により切断されている毛の側面断面図。
【図６Ａ】図４に示される剃毛かみそり刃ユニットに組み込まれてもよいトリミングコームガードの一実施形態の詳細な断面図。
【図６Ｂ】トリミングコームガードの別の実施形態の詳細な断面図。
【図７】図４のトリミングコームガードの一部の詳細な斜視図。
【図８】図４のトリミングコームガードの一突起部の側面図。
【図９】図４のトリミング刃アセンブリの側面断面図。
【発明を実施するための形態】
【００１０】
図２を参照すると、本発明は、一般にトリミング刃「Ｂ２」に近づくにつれて毛「Ｈ」を皮膚「Ｓ」から立ち上げるための通路を提供できるトリミングガード「Ｇ２」を備えたハウジングを有する剃毛かみそり刃ユニットを提供することに関し、それによって図１に示される先行技術の装置で切断可能な毛より長い毛をより高精度に切断できる。図１に示されるように、標準的なガード「Ｇ１」は、より長い毛「Ｈ」を取り込むことがあり、その結果、トリミング刃「Ｂ１」が毛を引っ掛けるように設計されていると、毛が皮膚「Ｓ」に押さえ付けられ、刃「Ｂ１」が皮膚表面「Ｓ」に近い毛「Ｈ」を適切に切断できなくなる。
【００１１】
図３を参照すると、剃毛かみそり１０は、使い捨てカートリッジ１２とハンドル１４とを含む。カートリッジ１２は、ハンドル１４に接続する接続部材１８と、接続部材１８に枢動可能に接続される刃ユニット１６とを含む。刃ユニット１６は、プラスチックハウジング２０と、ハウジング２０の前部にある主ガード２２と、ハウジング２０の後側にある主キャップ２４とを含む。細長い主剃毛刃２８は、主ガード２２と主キャップ２４との間に配置されている。５枚の主剃毛刃２８が示されているが、ハウジング２０内により多い又はより少ない主剃毛刃２８を取り付けられてよいことは理解されよう。クリップ３２でハウジング２０内に固定された刃２８が示されているが、当業者に既知の別の組み立て方法も使用することができる。
【００１２】
主ガード２２は、ハウジング２０の長さに沿って長手方向に延びる、互いに間隔をあけて配置された複数のフィン３４を有していてもよい。主キャップ２４は、潤滑ストリップ２６を有していてもよい。
【００１３】
図４を参照すると、トリミング刃アセンブリ４０がクリップ３２でハウジング２０の後部に固定されている。トリミング刃アセンブリ４０は、刃支持体４２と、刃支持体に取り付けられたトリミング刃４４とを含む。トリミング刃４４は、トリミング刃先６０を含む。刃支持体４２は、ハウジング２０に取り付けて、トリミング刃４４を支持し、トリミングコームガード４６とトリミングキャップ４８とを画定するための構造を提供するように、切断及び成形された０．０２８ｃｍ（０．０１１インチ）厚のステンレス鋼シートメタルで作製される。
【００１４】
刃支持体４２は、後壁５６を有する。後壁５６の中央部はその下部で開放されており、トリミングキャップ４８とトリミングコームガード４６との間に位置する間隙５８を提供する。トリミング刃４４は、後壁５６の内面にスポット溶接で溶接されている。
【００１５】
トリミングコームガード４６は、トリミング刃４４に対して実質的に垂直に延びる複数の突起部６８を含む。突起部６８は、トリミングコームガード４６の全長に沿って延びていてもよく、又は中心部若しくは末端部などのトリミングコームガード４６の特定部分のみに沿って延びていてもよい。トリミングコームガード４６も、中心部などのハウジング２０の特定部分に沿って、又は末端部方向にのみ延びていてもよい。以下に詳述するように、トリミングコームガード４６及び突起部６８は、皮膚の管理のために構成されてもよく、毛のトリミング刃４４への誘導を助けてもよい。突起部６８及びトリミングコームガード４６は、毛を皮膚表面から離して上方に配向し、毛をトリミング刃４４に向けて、効率的かつ正確な毛の切断をもたらすことができる。特定の実施形態では、トリミングコームガード４６及び突起部６８は、より長い毛をトリミング刃４４に誘導するために構成されてもよい。長い毛は、４８時間を超えて剃毛されていない毛を含み得る。このような毛の長さは、約０．０１ｍｍを超えることがある。
【００１６】
トリミングコームガード４６の複数の突起部６８は、トリミング刃４４に１本以上の毛が通過するように作られた複数のスロット７４を画定し得る。特定の実施形態では、共に近接して間隔をあけて配置された約２０超のスロット７４、約４０超のスロット７４、又は更には約５０超のスロット７４が存在してもよい。ハウジング２０の長さに応じて、より多い又はより少ないスロット７４が存在してもよい。スロット７４の数は、例えば、約３５ｍｍ〜約４５ｍｍの標準的な長さのハウジング２０に基づくが、ハウジング２０の長さは、約３５ｍｍ未満又は約４５ｍｍ超でもよい。スロット７４の数が多いと、可能な限り多くのトリミング刃４４がトリミングコームガード４６を通過する毛の切断に確実に使用され得る。
【００１７】
トリミング刃４４は、スロット７４を通過する毛を切断するように作られたトリミング刃先６０を有する。トリミング刃先６０は、トリミングコームガード４６から約０．１ｍｍ〜約２．０ｍｍの距離だけ間隔をあけて配置されていてもよいが、トリミングコームガード４６の設計は、トリミングコームガード４６とトリミング刃先６０との間の距離をより小さくとることができる。特定の実施形態では、トリミングコームガード４６とトリミング刃先６０との間隔は、約０．０５ｍｍ未満であってもよく、更にはトリミング刃先６０に接触していてもよい。トリミングコームガード４６が皮膚を保護する一方で、毛はトリミングコームガード４６のスロット７４を通過してトリミング刃先６０で切断され得る。
【００１８】
ヒトの毛の幅は約０．１０ｍｍである。スロット７４の幅が約０．１０ｍｍ未満であると、毛はスロット７４に巻き込まれ、別の毛がスロット７４を正常に通過して刃４４に達するのを妨げることがある。スロット７４の幅が小さすぎると、スロット７４及び刃４４の適切な洗浄を妨げることがある。剃毛補助剤、毛、汚れ、及びくずは、スロット７４内、トリミングコームガード４６内、及び刃４４周辺に詰まることがあり、その結果、毛を切断する刃４４の効果が低下する。これは、たまにしか剃毛しないユーザーにとって非常に重要になり得る。より長い毛は非常に詰まり易く、洗い流すのが困難であろう。また、より長い毛は、余計な毛、剃毛補助剤、汚れ、及びくずを取り込み易くするであろう。スロット７４、トリミングコームガード４６、及び刃４４が適切に洗浄されないと、刃４４は毛を適切に切断しないと考えられ、かすり傷、切り傷、未切断の毛、及び刃４４をユーザーの皮膚上に更に通過させる必要がある効率の悪い剃毛の原因となることがある。
【００１９】
標準的なガードは、より長い毛を取り込むことがあり、その結果、主刃又は第１の刃が毛を引っ掛けるように設計されていると、毛が皮膚に押さえ付けられる。トリミングコームガード４６の設計により、毛は取り込まれずに通過することができる。毛がガード内又はガード下に取り込まれると、次又は後続の毛はガードによって直立に押し出されず、したがって正しく刃４４に向けられないであろう。直立した毛は、刃４４によってより短く切断される可能性が大きい。また、トリミングコームガード４６は、切断時に毛を挟まないが、刃４４によって切断されるように毛を通過させる。ガードによって毛が挟まれると、ユーザーに不快感を与えることが多い。トリミングコームガード４６の上面は、皮膚の流れを管理し、トリミング時の形状を維持する。
【００２０】
製造時に、刃支持体４２は、シートメタルから切断及び成形されてもよい。次に、トリミング刃４４を後壁５６の内面に接するように配置する。その後、トリミング刃４４を後壁５６の内面にスポット溶接で固定する。続いて、トリミング刃アセンブリ４０をハウジング２０の後部に配置し、クリップ３２でハウジング２０に固定する。製造にはその他の技術を使用してもよい。例えば、トリミングコームガードは、成型刃ユニットの一部であってもよく、トリミングコームガードは、刃ユニットに固定されるか又は後壁に固定された後で刃ユニットに固定される別個の部品であってもよい。
【００２１】
図５Ａ〜５Ｃは、トリミングコームガード４６からトリミング刃先６０までの距離である、刃のスパンを減らした効果を示す。図５Ａは、トリミングコームガード４６とトリミング刃先６０との間の刃のスパンが概ね大きい剃毛かみそりにより切断されている毛「Ｈ」の側面断面図を示す。図５Ｃは、トリミングコームガード４６とトリミング刃先６０との間の刃のスパンが概ね小さい剃毛かみそりにより切断されている毛「Ｈ」の側面断面図を示す。図５Ｂは、トリミングコームガード４６とトリミング刃先６０との間の刃のスパンが中程度の剃毛かみそりにより切断されている毛「Ｈ」の側面断面図を示す。典型的には刃先６０とトリミングコームガード４６との間のスパンを縮めると、安全性を向上させる効果があるが、（図５Ｃに示されるように）より多くの刃４４がトリミングコームガード４６によって覆われるために効率が低下する。また、トリミング刃先６０とトリミングコームガード４６との間のスパンを縮めると、ガード下に取り込まれる毛の確率が高くなり、失敗した又は不正確な切断の原因となることがある。トリミングコームガード４６の設計により、スパンを縮めて安全性を向上させ、その一方で効率に影響を与えないようにすることができる。トリミング刃先６０は、皮膚「Ｓ」に対してはトリミングコームガード４６で遮断されてもよいが、毛に対しては遮断されなくてもよい。
【００２２】
図６Ａ及び６Ｂを参照すると、皮膚「Ｓ」でのスロット７４の寸法の効果を示すトリミングコームガード４６が示されている。図６Ａは、最適な間隔で複数の突起部６８を有するトリミングコームガード４６を示す。トリミングコームガード４６のスロット７４は、毛のみがスロット７４を通過するような大きさに作られ、したがって刃先に皮膚が曝されるのを最小限に抑えることができる。トリミング刃先６０は、皮膚を切ることなくトリミング刃先６０に平行に皮膚を横切って動かされることができ、安全な設計をもたらす。スロット７４の幅が広がるにつれて、より多くの皮膚がスロット７４内に押し上げられる恐れがある。図６Ｂは、隣接する突起部６８間の間隔が広い複数の突起部６８を有するトリミングコームガード４６を示し、その結果、皮膚がスロット７４内に隆起している。スロット７４は、より多くの皮膚をトリミング刃先６０に曝し、かすり傷、切り傷、及び剥ぎ取りの可能性を高める。スロット７４が狭すぎると、毛はスロット７４を通過しないと考えられるが、隣接する突起部６８により捕らえられ、引っ張られるであろう。毛がつかまれかつ引っ張られると、ユーザーは非常に不快であり、多くの場合に毛がスロット７４に閉じ込まれる原因となる。毛が狭いスロット７４内に閉じ込められるため、毛を洗い流すことも困難である。その後、閉じ込まれた毛は、後々の剃毛において毛の切断を妨げることがある。スロット７４は、快適さに影響しない程度に十分小さいが、毛が自由に通過できる程度に十分大きい必要がある。トリミングコームガード４６は、剃毛時にスロット７４の形状が変わらず維持される程度に剛性であり、したがって最適な刃−皮膚形状が維持され、より短くより快適な剃毛をもたらすという利点も有する。
【００２３】
図７を参照すると、隣接する突起部６８の詳細な斜視図が示されている。一対の隣接する突起部６８は、不快感を生じることがある毛との相互作用がほとんど又は全くなく、毛が突起部６８に捕らえられたり、閉じ込められたり、又は引っ張られたりせずに、毛を通過させるように作られたスロット７４を画定できる。スロット７４及び突起部６８は、できるだけ小さく、一方で毛と相互作用しないように、間隔があけられている。また、スロット７４及び突起部６８は、突起部７４又はスロット６８が遠く離れて配置される場合に生じ得る、皮膚の隆起とスロット７４の末端部での圧点とを減らすような大きさに作られている。皮膚の隆起は、トリミング刃先（図示なし）による不要な皮膚の切断を招き、不快感をもたらすことがある。トリミングコームガードの長さにわたる比較的多数の突起部６８は、皮膚にかかる力を分散することができる。また、スロット７４の数が増えると、トリミングコームガードのスロット７４を通過する毛の数を増やすことができ、トリミング刃先（図示なし）で適切に切断される毛の数を増やすことができる。
【００２４】
スロット７４は、１本以上の毛を受ける始端部７６と、毛を切断するために刃（図示なし）に供給する終端部７８とを有していてもよい。始端部７６は、約０．２０ｍｍ〜約０．４９ｍｍの幅「ｗ１」を有していてもよいが、ｗ１が毛の直径より大きい限り、ｗ１は約０．４９ｍｍ超でも約０．２０ｍｍ未満でもよい。終端部７８は、約０．２０ｍｍ〜約０．４９ｍｍの幅「ｗ２」を有していてもよいが、ｗ２が毛の直径より大きい限り、ｗ２は約０．４９ｍｍ超でも約０．２０ｍｍ未満でもよい。スロット７４の始端部７６は、より効率的な毛の処理及び通過をもたらすように、始端部７６から終端部７８まで先細になる面又は引き込み部を有していてもよい。
【００２５】
突起部６８は、突起部６８の底面８０から上面８２までを測定した高さを有していてもよい。突起部６８の高さは、例えば、約１．５ｍｍの高さなど、約０．２５ｍｍ〜約２．０ｍｍであってもよい。突起部６８の高さの寸法は、スロット７４の深さ「Ｄ」に直接関連する。したがって、スロット７４は、約１．５ｍｍの深さなど、約０．２５ｍｍ〜約２．０ｍｍの深さ「Ｄ」を有していてもよい。
【００２６】
スロット７４は、約１：１．２５〜約５となる、スロットの深さのスロットの幅に対する縦横比を有する。この範囲のスロットの深さのスロットの幅に対する縦横比は、毛をトリミング刃で効率的に切断するためにスロットに通過させることができる。スロットの幅が小さすぎ、深さが小さすぎると、毛はトリミング刃で効率的に切断されるようにスロット内で動くための十分な空間がないであろう。あるいは、幅が大きすぎ、深さが大きすぎると、毛はスロット内で無制限に動き、適切にスロットを通過せず、トリミング刃で効率的に切断されないことがある。
【００２７】
次に図７及び８を参照すると、突起部６８は、突起部６８の前面８４から背面８６までを測定した長さ「Ｌ」を有していてもよい。突起部６８の長さ「Ｌ」は、例えば、約１．５ｍｍの長さなど、約０．５０ｍｍ〜約２．０ｍｍであってもよい。側面から見ると、突起部６８は、拡張又は張り出し部分９０を提供するＬ字形状を有する。張り出し部分９０は、例えば、０．８０ｍｍなど、約０．３０ｍｍ〜約１．０ｍｍであってもよい。張り出し部分９０により、毛のスロット７４通過を向上させるためのより長い長さ「Ｌ」がもたらされる。
【００２８】
スロット７４は、隣接する突起部６８の長さよりわずかに長いスロットの長さをもたらすように、隣接する突起部６８の前面８４を越えて延びていてもよい。突起部６８の高さは、スロット７４の始端部７６を形成する突起部６８の高さがスロット７４の終端部７８を形成する突起部６８の高さより低いように、先細又は階段状にされ得る。階段状の設計は、強度を増すことができ、毛のスロット７４への通過を向上させることができる。突起部６８の１つの第１側面８８から隣接する突起部６８の第１側面９０までを測定したスロット７４のピッチ又は間隔は、約０．４０ｍｍ〜約１．５ｍｍ、又は約０．８０ｍｍの範囲を有していてもよい。スロット７４の総数は、ピッチ及びハウジング２０の長さに応じて、５０超、約６０超、約７０超、又は更には約８０超でもよい。
【００２９】
次に図９を参照すると、トリミング刃アセンブリ４０の断面図が示されている。トリミング刃アセンブリは、刃支持体４２と、刃支持体に取り付けられたトリミング刃４４とを含む。トリミング刃４４は、刃先６０を含む。トリミング刃のスパン９４は、刃先６０から突起部６８の接線曲面まで引かれた接線９３方向に測定される。トリミング刃のスパンは、約０．１ｍｍ〜約２．０ｍｍ、又は約０．９０ｍｍの範囲を有していてもよい。
【００３０】
本明細書に開示されている寸法及び値は、列挙した正確な数値に厳しく制限されるものとして理解すべきではない。それよりむしろ、特に指定されない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【００３１】
相互参照される又は関連するあらゆる特許又は出願書類を含め、本明細書において引用される全ての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参照により組み込まれた文献における同一の用語のいずれかの意味又は定義と相反する限りにおいて、本書においてその用語に与えられた定義又は意味が適用されるものとする。
【００３２】
本発明の特定の実施形態が説明及び記載されてきたが、本発明の趣旨及び範囲から逸脱することなく他の様々な変更及び修正を行えることが当業者には明白であろう。したがって、本発明の範囲内にあるそのようなすべての変更及び修正を、添付の「特許請求の範囲」で扱うものとする。
【図１】
0005384729.tif 000002
【図２】
0005384729.tif 000003
【図３】
0005384729.tif 000004
【図４】
0005384729.tif 000005
【図５Ａ】
0005384729.tif 000006
【図５Ｂ】
0005384729.tif 000007
【図５Ｃ】
0005384729.tif 000008
【図６Ａ】
0005384729.tif 000009
【図６Ｂ】
0005384729.tif 000010
【図７】
0005384729.tif 000011
【図８】
0005384729.tif 000012
【図９】
0005384729.tif 000013